Podtech/llm-jp-corpus-v4-ja_patent huggingface dataset:
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
対象における細菌性乳房炎を処置又は予防する方法であって、ナラシン、サリノマイシン、ラサロシド、モネンシン、センデュラマイシン、マデュラマイシン及びライドロマイシンから選択されるポリエーテル系イオノフォアまたはその治療的に許容し得る塩の治療有効量を前記対象の乳腺に投与するステップを含む、方法。
【請求項２】
ポリエーテル系イオノフォアの治療有効量を投与する前記ステップが、乳房内投与により実施される、請求項１に記載の方法。
【請求項３】
前記ポリエーテル系イオノフォアが、２０ｍｇ／乳頭管〜９００ｍｇ／乳頭管の範囲内の用量で前記対象に投与される、請求項１又は請求項２に記載の方法。
【請求項４】
前記細菌性物質が、スタフィロコッカス・エピデルミディス、スタフィロコッカス・シミュランス、スタフィロコッカス・フェリス、スタフィロコッカス・キシローサス、スタフィロコッカス・クロモゲネス、スタフィロコッカス・ワーネリ、スタフィロコッカス・ヘモリチカス、スタフィロコッカス・シウリ、スタフィロコッカス・サプロフィチカス、スタフィロコッカス・ホミニス、スタフィロコッカス・カプラエ、スタフィロコッカス・コーニイ亜種コーニイ、スタフィロコッカス・コーニィ亜種ウレアリチカス（Ｓｔａｐｈｙｌｏｃｏｃｃｕｓ  ｃｏｈｎｉｉ  ｓｕｂｓｐ．  ｕｒｅａｌｙｔｉｃｕｓ）、スタフィロコッカス・キャピティス亜種キャピティス、スタフィロコッカス・キャピティス亜種ウレアリチカス、スタフィロコッカス・ハイカス、スタフィロコッカス・アウレウス、スタフィロコッカス・シュードインターメディウス、スタフィロコッカス・デルフィニ、スタフィロコッカス・シュレイフェリ亜種コアグランス、スタフィロコッカス・アウレウス亜種アネロビウス、ストレプトコッカス・ウベリス、ストレプトコッカス・アガラクチエ、ストレプトコッカス・ディスガラクチエ、ストレプトコッカス・ピオゲネス、ストレプトコッカス・ボビス、ストレプトコッカス・エクイ亜種ズーエピデミクス、ストレプトコッカス・エクイヌス、バチルス・メラニノゲニカス、バチルス・プミルス、バチルス・リチェニフォルミス、バチルス・セレウス、バチルス・サブチリス、バチルス・アントラシス、エンテロコッカス・フェシウム、エンテロコッカス・フェカリス、エンテロコッカス・デュランス、リステリア・モノサイトゲネス、クロストリジウム・パーフリンゲンス、アクチノマイセス・ボビス、プロピオニバクテリウム・アクネス、プロピオニバクテリウム・グラヌロスム、エウバクテリウム、ペプトコッカス・インドリカス、およびペプトストレプトコッカス・アネロビウスを含む群から選択される、請求項１に記載の方法。
【請求項５】
ナラシン、サリノマイシン、ラサロシド、モネンシン、センデュラマイシン、マデュラマイシン及びライドロマイシンから選択されるポリエーテル系イオノフォアまたは治療的に許容し得る塩の治療有効量と、場合により獣医学的または医学的に許容し得る賦形剤または担体を含む、対象における細菌性乳房炎の治療用又は予防用乳房内獣医学的または医学的抗菌組成物。
【請求項６】
抗生物質および抗真菌薬を含む群から選択されるさらなる抗菌薬を含む、請求項５に記載の組成物。
【請求項７】
キレート化剤を含む群から選択される賦形剤を含む、請求項５又は請求項６のいずれか１項に記載の組成物。
【請求項８】
対象における乳房炎の処置または予防に用いられる場合の即時放出、持続放出または制御放出のための獣医学的または治療用デバイスであって、乳房内インジェクターと、請求項５〜７のいずれか１項に記載の組成物と、を含む、デバイス。
【請求項９】
対象における細菌性乳房炎の処置または予防用の薬剤を製造する際の、ナラシン、サリノマイシン、ラサロシド、モネンシン、センデュラマイシン、マデュラマイシン及びライドロマイシンから選択されるポリエーテル系イオノフォアまたはその治療的に許容し得る塩の使用。
【請求項１０】
前記投与が、乳房内投与による、請求項９に記載の使用。
【請求項１１】
前記ポリエーテル系イオノフォアが、２０ｍｇ／乳頭管〜９００ｍｇ／乳頭管の範囲内の用量で前記対象に投与される、請求項９又は請求項１０のいずれか１項に記載の使用。
【請求項１２】
前記細菌性物質が、スタフィロコッカス・エピデルミディス、スタフィロコッカス・シミュランス、スタフィロコッカス・フェリス、スタフィロコッカス・キシローサス、スタフィロコッカス・クロモゲネス、スタフィロコッカス・ワーネリ、スタフィロコッカス・ヘモリチカス、スタフィロコッカス・シウリ、スタフィロコッカス・サプロフィチカス、スタフィロコッカス・ホミニス、スタフィロコッカス・カプラエ、スタフィロコッカス・コーニイ亜種コーニイ、スタフィロコッカス・コーニィ亜種ウレアリチカス、スタフィロコッカス・キャピティス亜種キャピティス、スタフィロコッカス・キャピティス亜種ウレアリチカス、スタフィロコッカス・ハイカス、スタフィロコッカス・アウレウス、スタフィロコッカス・シュードインターメディウス、スタフィロコッカス・デルフィニ、スタフィロコッカス・シュレイフェリ亜種コアグランス、スタフィロコッカス・アウレウス亜種アネロビウス、ストレプトコッカス・ウベリス、ストレプトコッカス・アガラクチエ、ストレプトコッカス・ディスガラクチエ、ストレプトコッカス・ピオゲネス、ストレプトコッカス・ボビス、ストレプトコッカス・エクイ亜種ズーエピデミクス、ストレプトコッカス・エクイヌス、バチルス・メラニノゲニカス、バチルス・プミルス、バチルス・リチェニフォルミス、バチルス・セレウス、バチルス・サブチリス、バチルス・アントラシス、エンテロコッカス・フェシウム、エンテロコッカス・フェカリス、エンテロコッカス・デュランス、リステリア・モノサイトゲネス、クロストリジウム・パーフリンゲンス、クロストリジウム・ディフィシル、アクチノマイセス・ボビス、プロピオニバクテリウム・アクネス、プロピオニバクテリウム・グラヌロスム、エウバクテリウム、ペプトコッカス・インドリカス、およびペプトストレプトコッカス・アネロビウスを含む群から選択される、請求項９〜１１のいずれか１項に記載の使用。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
セフタジジムまたはその医薬的に許容できる塩と組み合わせて投与する、院内肺炎感染症の処置において使用するための、アビバクタムまたはその医薬的に許容できる塩を含む、医薬組成物。
【請求項２】
院内肺炎感染症が１種類以上のベータ−ラクタマーゼを発現する１種類以上の病原体により引き起こされる、請求項１に記載の医薬組成物。
【請求項３】
院内肺炎感染症が単剤療法としてのセフタジジムに感受性ではない、請求項１または２に記載の医薬組成物。
【請求項４】
院内肺炎感染症が病院感染肺炎である、請求項１〜３のいずれか１項に記載の医薬組成物。
【請求項５】
院内肺炎感染症が人工呼吸器感染肺炎である、請求項１〜３のいずれか１項に記載の医薬組成物。
【請求項６】
さらに１種類以上の追加の療法剤と組み合わせて投与する、請求項１〜５のいずれか１項に記載の医薬組成物。
【請求項７】
１種類以上の追加の療法剤が抗細菌剤、ベータ−ラクタマーゼ阻害剤および抗真菌剤からなる群から選択される、請求項６に記載の医薬組成物。
【請求項８】
１種類以上の追加の療法剤がトブラマイシン、レボフロキサシン、バンコマイシン、リネゾリド、チゲサイクリンおよびコリスチンからなる群から選択される、請求項７に記載の医薬組成物。
【請求項９】
セフタジジムおよびアビバクタムの組み合わせが同時に投与される、請求項１〜８のいずれか１項に記載の医薬組成物。
【請求項１０】
セフタジジムおよびアビバクタムの組み合わせが独立して配合されて同時投与される、請求項１〜８のいずれか１項に記載の医薬組成物。
【請求項１１】
セフタジジムおよびアビバクタムの組み合わせが独立して配合されて順次投与される、請求項１〜１０のいずれか１項に記載の医薬組成物。
【請求項１２】
組み合わせが用量あたり約２０００ｍｇのセフタジジムおよび約５００ｍｇのアビバクタムを含む、請求項１〜１１のいずれか１項に記載の医薬組成物。
【請求項１３】
有効量の組み合わせがおおよそ８時間ごとに投与される、請求項１〜１２のいずれか１項に記載の医薬組成物。
【請求項１４】
有効量の組み合わせがおおよそ１２時間ごとに投与される、請求項１〜１２のいずれか１項に記載の医薬組成物。
【請求項１５】
有効量の組み合わせが静脈内投与される、請求項１３または１４のどちらか１項に記載の医薬組成物。
【請求項１６】
有効量の組み合わせがおおよそ１〜２時間の過程にわたって静脈内投与される、請求項１５に記載の医薬組成物。
【請求項１７】
有効量の組み合わせがおおよそ２時間の過程にわたって静脈内投与される、請求項１６に記載の医薬組成物。
【請求項１８】
有効量の組み合わせがおおよそ１時間の過程にわたって静脈内投与される、請求項１６に記載の医薬組成物。
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
環状エステルまたは環状アミドの製造方法であって、
少なくとも一種のヒドロキシカルボン酸および／または少なくとも一種のアミノカルボン酸またはそのエステルまたはその塩（ここで、上記ヒドロキシカルボン酸は２−ヒドロキシカルボン酸または６−ヒドロキシカルボン酸であり、上記アミノ・カルボン酸は２−アミノ−カルボン酸または６−アミノ−カルボン酸である）を、下記（１）または（２）：
（１）２つまたは３つの互いに連結した平行でないチャンネル系（このチャンネル系の少なくとも１つは１０員環以上のリングチャンネルから成り、ＮＭＲで測定した骨組のＳｉ／Ｘ2比は少なくとも２４である）、または
（２）３つの互いに連結した平行でないチャンネル系（このチャンネル系の少なくとも２つは１０員環以上のリングチャンネルから成り、ＮＭＲで測定した骨組のＳｉ／Ｘ2比は少なくとも６である）、
（上記ＸはＡｌまたはＢである）
を有する少なくとも一種の酸性ゼオライトと接触させる工程を有し、且つ、
０．５〜２０バールの圧力で実行することを特徴とする方法。
【請求項２】
上記環状エステルまたは環状アミドが下記の式（II）の化合物である請求項1に記載の方法：
2016507545.tif 000001
（ここで、
Ｚ1はＯまたはＮＨであり、
Ｚ2はＯまたはＮＨであり、
Ｒ1およびＲ2は各々独立して水素またはＣ1-6アルキル、Ｃ2-6アルケニル、Ｃ6-10アリール、Ｃ1-10アルキルＣ6-10アリーレン、Ｃ6-10アリールＣ1-6アルキレン；またはＣ2-6アルキニルから選択される基であり、各基はＣ1-6アルキル、Ｃ1-6アルキルオキシから選択される一つまたは複数の置換基で置換されていてもよい）
【請求項３】
上記環状エステルが式（IIａ）の化合物である請求項１または２に記載の方法：
2016507545.tif 000002
（ここで、
Ｒ1およびＲ2は各々独立して水素またはＣ１−６アルキル、Ｃ２−６アルケニル、Ｃ６−１０アリール、Ｃ１−１０アルキルＣ６−１０アリーレン、Ｃ６−１０アリールＣ１−６アルキレンまたはＣ２−６アルキニルから選択される基であり、各基はＣ１−６アルキル、Ｃ１−６アルキルオキシから選択される一つまたは複数の置換基で置換されていてもよい）
【請求項４】
上記の少なくとも一種のヒドロキシカルボン酸が乳酸、２−ヒドロキシブタン酸、２−ヒドロキシ−３−ブテン酸、２−ヒドロキシヘキサン酸、６−ヒドロキシヘキサン酸およびグリコール酸から成る群の中から選択される請求項１〜３のいずれか一項に記載方法。
【請求項５】
環状エステルがラクチドで、上記の少なくとも一種のヒドロキシカルボン酸が乳酸である請求項１〜４のいずれか一項に記載方法。
【請求項６】
環状エステルがＬ−Ｌ−ラクチドであり、上記の少なくとも一種のヒドロキシカルボン酸がＬ−乳酸である請求項１〜５のいずれか一項に記載方法。
【請求項７】
環状エステルがＤ−Ｄ−ラクチドであり、上記の少なくとも一種のヒドロキシカルボン酸がＤ−乳酸である請求項１〜５のいずれか一項に記載方法。
【請求項８】
上記の互いに連結した平行でないチャンネル系の少なくとも１つが１２員環以上のリングチャンネルから成る請求項１〜７のいずれか一項に記載の方法。
【請求項９】
上記ゼオライトのブレンステッド（Bransted）酸密度が０．０５〜６．５ｍｍｏｌ／ｇ乾燥重量である請求項１〜８のいずれか一項に記載の方法。
【請求項１０】
上記ゼオライトがＢＥＡ、ＭＦＩ、ＦＡＵ、ＭＥＬ、ＦＥＲおよびＭＷＷから成る群の中から選択されるトポロジー（位相形態）を有する請求項１〜９のいずれか一項に記載の方法。
【請求項１１】
ＸがＡｌである請求項１〜１０のいずれか一項に記載の方法。
【請求項１２】
上記ゼオライトが少なくとも３つの互いに連結した平行でないチャンネル系を有する請求項1〜１１のいずれか一項に記載の方法。
【請求項１３】
上記のヒドロキシカルボン酸および／またはアミノ・カルボン酸が、組成物の総重量をベースにして少なくとも１重量％の上記ヒドロキシカルボン酸および／またはアミノ・カルボン酸を含む組成物で提供される請求項１〜１２のいずれか一項に記載の方法。
【請求項１４】
水を除去した状態下で実行される請求項１〜１３のいずれか一項に記載の方法。
【請求項１５】
水の除去を共沸蒸留で行う請求項１４に記載の方法。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
医薬組成物を調製する方法であって、(a)動物小胞を(b)細菌小胞と混合するステップを含む前記方法。
【請求項２】
(a)動物小胞及び(b)細菌小胞を含む、免疫原性医薬組成物。
【請求項３】
動物小胞が少なくとも1つの疾患関連抗原を含む、請求項１に記載の方法又は請求項２に記載の組成物。
【請求項４】
疾患関連抗原が、腫瘍関連抗原(TAA)、病原体関連抗原、又は変性障害関連抗原から選択される、請求項３に記載の方法又は組成物。
【請求項５】
少なくとも1つのTAAが、メラン-A、Silv、癌胎児性抗原(CEA)、及びメソテリンから選択される、請求項４に記載の方法又は組成物。
【請求項６】
動物小胞がエクソソーム又はエクソソーム様小胞である、請求項１〜５のいずれか一項に記載の方法又は組成物。
【請求項７】
細菌小胞が、外膜小胞(OMV)、微小胞(MV)、又は「天然のOMV」(「NOMV」)である、請求項１〜６のいずれか一項に記載の方法又は組成物。
【請求項８】
細菌小胞が外膜小胞(OMV)である、請求項７に記載の方法又は組成物。
【請求項９】
細菌小胞が、例えば親細胞における遺伝子組換えによって修飾されている、請求項１〜８のいずれか一項に記載の方法又は組成物。
【請求項１０】
動物小胞及び細菌小胞が複合体を形成する、請求項１〜９のいずれか一項に記載の方法又は組成物。
【請求項１１】
複合体が2つの脂質二重層の融合又は表面接着により形成される、請求項１０に記載の方法又は組成物。
【請求項１２】
医薬組成物がワクチン組成物である、請求項１〜１１のいずれか一項に記載の方法又は組成物。
【請求項１３】
疾患の治療又は予防における使用のための、請求項１〜１２のいずれか一項に規定される組成物。
【請求項１４】
疾患が、癌、病原体感染、又は変性障害である、請求項１３に記載の使用のための組成物。
【請求項１５】
哺乳動物における免疫応答の惹起における使用のための、請求項１〜１４のいずれか一項に規定される医薬組成物の使用。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
（ａ）（ｉ）金属および／または半導体を含むコアであって、前記コアの直径が１ｎｍ〜５ｎｍの範囲である、コア；
（ｉｉ）共有結合により前記コアに結合された複数のリガンドを含むコロナであって、前記リガンドが炭水化物を含む、コロナ；
を含むナノ粒子と、
（ｂ）共有結合により前記コアに付着された少なくとも１つの作用物質であって、中枢神経系（ＣＮＳ）病状に対して少なくとも１つの治療効果を示す作用物質と、
を含む、哺乳類被験体のＣＮＳ病状の治療方法において使用するためのナノ粒子組成物であって、
前記組成物は、非中枢経路により投与され、それにより前記作用物質は、前記ナノ粒子との会合により血液脳関門を横切ってＣＮＳに送達され、
前記ＣＮＳ病状は、ＣＮＳの腫瘍；神経変性疾患；脳卒中；神経障害；ＣＮＳの感染；ＣＮＳの免疫障害；精神障害；ＣＮＳに影響する遺伝子異常；および外傷性脳損傷からなる群より選択される、
ナノ粒子組成物。
【請求項２】
星状細胞腫の治療に使用するための、請求項１に記載のナノ粒子組成物。
【請求項３】
静脈内、筋肉内、腹腔内、または皮下への注射もしくは注入；
経腸；
頬側；
口唇下；
舌下；
吸入；
粘膜；
泌尿生殖器；
直腸；
皮膚；ならびに
皮内
からなる群より選択される経路によって投与される、請求項１または２に記載のナノ粒子組成物。
【請求項４】
前記被験体はヒトである、請求項１〜３のいずれか１項に記載のナノ粒子組成物。
【請求項５】
前記少なくとも１つの作用物質は、小分子薬物、核酸、ペプチドおよびタンパク質からなる群より選択される、請求項１〜４のいずれか１項に記載のナノ粒子組成物。
【請求項６】
前記少なくとも１つの作用物質は、ロプラゾラム、ロルメタゼパム，テマゼパム；ザレプロン、ゾルピデム、ゾピクロン；クロメチアゾール；プロメタジン；メラトニン；ブスピロン；クロルプロマジン塩酸塩、ハロペリドール、ペルフェナジン、プロクロルペラジンマレイン酸塩またはメシル酸塩、プロマジン塩酸塩、トリフロペラジン；クロザピン、オランザピン、クエチアピン、リスペリドン、カルバマゼピンおよびバルプロ酸ナトリウム；アミトリプチリン塩酸塩、クロミプラミン塩酸塩、イミプラミン塩酸塩；ミアンセリン塩酸塩；フェネルジン、モクロベミド；シタロプラム、フルオキセチン、セルトラリン；アゴメラチン、フルペンチキソール、トリプトファン、ベンラファキシン；アトモキセチン、メチルフェニデート塩酸塩、モダフィニル；シクリジン塩酸塩、クロルプロマジン、ドロペリドール、プロクロルペラジンマレイン酸塩、メトクロプラミド塩酸塩、オンダンセトロン、パロノセトロン、ホスアプレピタント、ナビロン、ベタヒスチン二塩酸塩；ネホパム塩酸塩；ブプレノルフィン；ジアモルヒネ塩酸塩、フェンタニル、メプタジノール、トラマドール塩酸塩；カプサイシン；トルフェナム酸，ゾルミトリプタン、ピゾチフェン、クロニジン；エベロリムス、テモゾロミド、カルムスチン；グラチラマー酢酸塩およびフィンゴリモドからなる群より選択される、請求項１〜５のいずれか１項に記載のナノ粒子組成物。
【請求項７】
前記少なくとも１つの作用物質は、前記ナノ粒子の前記コアにリンカーを介して共有結合により付着されている、請求項１〜６のいずれか１項に記載のナノ粒子組成物。
【請求項８】
前記ナノ粒子は前記作用物質の２つ以上の実体と会合されている、請求項１〜７のいずれか１項に記載のナノ粒子組成物。
【請求項９】
前記少なくとも１つの作用物質は２以上の異なる種の作用物質を含む、請求項１〜８のいずれか１項に記載のナノ粒子組成物。
【請求項１０】
前記ナノ粒子の前記リガンドは、Ｃ２〜Ｃ１５アルキル基および／またはＣ２〜Ｃ１５グリコール基を含むリンカーを介して前記ナノ粒子の前記コアに共有結合により結合されている、請求項１〜９のいずれか１項に記載のナノ粒子組成物。
【請求項１１】
前記リガンドは、単糖または二糖である炭水化物を含む、請求項１〜１０のいずれか１項に記載のナノ粒子組成物。
【請求項１２】
前記炭水化物はグルコース、αガラクトース、マンノース、フコース、マルトース、ラクトース、ガラクトサミンおよび／またはＮ−アセチルグルコサミンを含む、請求項１１に記載のナノ粒子組成物。
【請求項１３】
そのリガンドを含む前記ナノ粒子の直径は、２ｎｍ〜２０ｎｍの範囲である、請求項１〜１２のいずれか１項に記載のナノ粒子組成物。
【請求項１４】
前記ナノ粒子の前記コアは、Ａｕ、Ａｇ、Ｃｕ、Ｐｔ、Ｐｄ、Ｆｅ、Ｃｏ、ＧｄおよびＺｎ、またはそれらの任意の組み合わせからなる群より選択される金属を含む、請求項１〜１３のいずれか１項に記載のナノ粒子組成物。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
下記構造：
【化１】
2016507504.tif 000001
［式中、
各Ａは、Ｎ及びＣＨから成る群から独立して選択され；
Ａ1は、Ｎ又はＣ（Ｒ5）であり；
Ａ2は、Ｎ又はＣ（Ｒ7）であり；
Ｒ1は、Ｃｌ又はＦであり；
Ｒ3は、Ｃ1-8アルキル、Ｃ1-8ハロアルキル、Ｃ1-8ヒドロキシアルキルから成る群から選択され、ここで前記Ｒ3のアルキル部分が、１〜３個のＲaで任意にはさらに置換され；
Ｒ5、Ｒ7及びＲ8は、Ｈ、ハロゲン、ＣＮ、Ｃ1-8アルキル、Ｃ3-8シクロアルキル、Ｃ2-8アルケニル、Ｃ2-8アルキニル、Ｃ1-8ハロアルキル、Ｃ1-8ヒドロキシアルキル、−ＯＲa、−ＣＯ2Ｒa、−ＮＲaＲb、−ＣＯＮＲaＲb、アリール、５−又は６−員のヘテロアリール、及び３−、４−、５−又は６−員のヘテロシクロアルカンから成る群からそれぞれ独立して選択され、ここでヘテロアリール及びヘテロシクロアルカン環の環頂点として存在するヘテロ原子はＮ、Ｏ及びＳから選択され、そしてＲ5、Ｒ6、Ｒ7及びＲ8のアルキル、シクロアルキル、アリール、ヘテロアリール及びヘテロシクロアルカン部分は任意にはさらに、１〜３個のＲaで置換され、ここでＲ5、Ｒ7及びＲ8のアルキル、シクロアルキル、アリール、ヘテロアリール、及びヘテロシクロアルカン部分は、任意にはさらに、１〜３個のＲaで置換され；そして
各Ｒa及びＲbは、水素、ヒドロキシル、ハロゲン、シアノ、Ｃ1-8アルキル、Ｃ1-8アルコキシ、C1-8ハロアルキル、Ｃ3-6シクロアルキル、Ｃ3-6シクロアルキルアルキル、アミノ、Ｃ1-8アルキルアミノ、ジＣ1-8アルキルアミノ、カルボキサミド、カルボキシＣ1-4アルキルエステル、カルボン酸、及び−ＳＯ2−Ｃ1-8アルキルから成る群から独立して選択される］
により表される化合物、その医薬的に許容される塩、溶媒和物、又は水和物。
【請求項２】
下記構造：
【化２】
2016507504.tif 000002
により表される、請求項１に記載の化合物。
【請求項３】
下記構造：
【化３】
2016507504.tif 000003
により表される、請求項１に記載の化合物。
【請求項４】
下記構造：
【化４】
2016507504.tif 000004
により表される、請求項１に記載の化合物。
【請求項５】
下記構造：
【化５】
2016507504.tif 000005
［式中、Ｒ1はＣｌ又はＦである］
により表される、請求項１に記載の化合物。
【請求項６】
下記構造：
【化６】
2016507504.tif 000006
により表される、請求項１に記載の化合物。
【請求項７】
下記構造：
【化７】
2016507504.tif 000007
により表される、請求項１に記載の化合物。
【請求項８】
下記構造：
【化８】
2016507504.tif 000008
により表される、請求項１に記載の化合物。
【請求項９】
Ｒ3がＣ1-8アルキルである、請求項１〜４、６、７又は８のいずれか一項に記載の化合物。
【請求項１０】
下記構造：
【化９】
2016507504.tif 000009
から成る群から選択される、請求項１に記載の化合物、その医薬的に許容される塩、溶媒和物、又は水和物。
【請求項１１】
下記構造：
【化１０】
2016507504.tif 000010
から成る群から選択される、請求項１に記載の化合物、その医薬的に許容される塩、溶媒和物、又は水和物。
【請求項１２】
下記構造：
【化１１】
2016507504.tif 000011
を有する、請求項１に記載の化合物、その医薬的に許容される塩、溶媒和物、又は水和物。
【請求項１３】
下記構造：
【化１２】
2016507504.tif 000012
を有する、請求項１に記載の化合物、その医薬的に許容される塩、溶媒和物、又は水和物。
【請求項１４】
請求項１〜１３のいずれか１項に記載の化合物、及び医薬的に許容できる賦形剤又は担体を含む医薬組成物。
【請求項１５】
ＣＣＲ１介在性疾患又は状態を治療するための、請求項１４に記載の医薬組成物。
【請求項１６】
前記ＣＣＲ１介在性疾患又は状態が、炎症状態である、請求項１５に記載の医薬組成物。
【請求項１７】
前記ＣＣＲ１介在性疾患又は状態が、免疫調節障害である、請求項１５に記載の医薬組成物。
【請求項１８】
前記ＣＣＲ１介在性疾患又は状態が、移植拒絶、皮膚炎、湿疹、蕁麻疹、血管炎、炎症性腸疾患、食物アレルギー、喘息、アルツハイマー病、パーキンソン病、乾癬、エリテマトーデス、脳卒中、再狭窄及び脳脊髄炎から成る群から選択される、請求項１５に記載の医薬組成物。
【請求項１９】
前記ＣＣＲ１介在性疾患又は状態が、関節リウマチ、多発性硬化症、変形性関節症、多発性骨髄腫及び骨粗鬆症から成る群から選択される、請求項１５に記載の医薬組成物。
【請求項２０】
経口、非経口、直腸、経皮、舌下、鼻内又は局所で投与される、請求項１５に記載の医薬組成物。
【請求項２１】
ＣＣＲ１介在性疾患又は状態を治療するための、請求項１〜１３のいずれか１項に記載の化合物と、抗炎症剤、鎮痛剤、抗増殖剤、代謝阻害剤、白血球遊走阻害剤又は免疫調節剤とを含む、組み合わせ医薬。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
スルファサラジンが本質的に非晶質形態である、スルファサラジンおよび医薬的に許容しうるポリマーを含む医薬的に許容しうる賦形剤を含む医薬組成物。
【請求項２】
神経変性疾患または障害を治療するための、請求項１に記載の医薬組成物。
【請求項３】
神経変性疾患または障害が、筋萎縮性側索硬化症(ALS)または進行性多発性硬化症(P-MS)である、請求項２に記載の医薬組成物。
【請求項４】
神経変性疾患または障害が、筋萎縮性側索硬化症(ALS)である、請求項３に記載の医薬組成物。
【請求項５】
神経変性疾患または障害が、進行性多発性硬化症(P-MS)である、請求項３に記載の医薬組成物。
【請求項６】
スルファサラジンのインビトロ溶解度が、実施例９の方法によって測定される場合、pH5.5において、少なくとも500 μg/mlであるように製剤される、請求項１〜５のいずれか一項に記載の医薬組成物。
【請求項７】
スルファサラジンのインビトロ溶解度が、実施例９の方法によって測定される場合、pH5.5において、約500 μg/ml〜約11,500 μg/ml(両端値も含む)であるように製剤される、請求項１〜５のいずれか一項に記載の医薬組成物。
【請求項８】
医薬的に許容しうるポリマーが、PVP VA64である、請求項１に記載の医薬組成物。
【請求項９】
医薬組成物中のスルファサラジン：PVP VA64の比率が、約20：80 wt/wt〜30：70 wt/wtである、請求項８に記載の医薬組成物。
【請求項１０】
スルファサラジン：PVP VA64の比率が、約25：75 wt/wtである、請求項９に記載の医薬組成物。
【請求項１１】
医薬組成物が、噴霧乾燥分散体の形状である、請求項１〜１０のいずれか一項に記載の医薬組成物。
【請求項１２】
スルファサラジンの溶解度を改善する方法であって、20：80 wt/wt〜30：70 wt/wtの範囲のスルファサラジン：ポリマーの重量比で、スルファサラジンが本質的に非晶質形態である、スルファサラジンとポリマーを組み合わせることによって、pHを5.5に調節後1200分測定される場合、pH5.5において、少なくとも500 μg/mlのスルファサラジンのインビトロ溶解度を得ることを含む、方法。
【請求項１３】
スルファサラジンのインビトロ溶解度が、pHを5.5に調節後1200分測定される場合、pH5.5において、500 μg/ml〜11,500 μg/ml(両端値も含む)である、請求項１２に記載の方法。
【請求項１４】
ポリマーが、医薬的に許容しうるポリマーである、請求項１３に記載の方法。
【請求項１５】
ポリマーが、PVP VA64である、請求項１４に記載の方法。
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
Ｎ末端からＣ末端で、ＣＨ１ドメイン、キメラヒンジ、ＣＨ２ドメイン、およびＣＨ３ドメインを含む重鎖定常（ＣＨ）領域を含む、抗体であって、
（ａ）前記ＣＨ１ドメインが、少なくとも２１２位〜２１５位（ＥＵ付番）のアミノ酸配列ＤＫＫＶまたはＤＫＲＶを有する、ヒトＩｇＧ１  ＣＨ１ドメインまたはヒトＩｇＧ４  ＣＨ１ドメインを含み、
（ｂ）前記キメラヒンジが、２１６位〜２２７位（ＥＵ付番）のヒトＩｇＧ１またはヒトＩｇＧ４上部ヒンジアミノ酸配列、および２２８位〜２３６位（ＥＵ付番）のヒトＩｇＧ２下部ヒンジアミノ酸配列ＰＣＰＡＰＰＶＡ（配列番号３）を含み、
（ｃ）前記ＣＨ２ドメインが、２３７位〜３４０位（ＥＵ付番）のヒトＩｇＧ４  ＣＨ２ドメインアミノ酸配列を含み、
（ｄ）前記ＣＨ３ドメインが、３４１位〜４４７位（ＥＵ付番）のヒトＩｇＧ１またはヒトＩｇＧ４  ＣＨ３ドメイン配列を含み、そして
ここで前記抗体が、野生型ＩｇＧ１または野生型ＩｇＧ４重鎖定常領域を含む対応する抗体の結合親和性と比較してより低い親和性で、ＦｃγＲに結合することができる、
抗体。
【請求項２】
前記ＣＨ領域が、配列番号１、配列番号２、配列番号３０、配列番号３１、配列番号３７、または配列番号３８のうち任意の１つを含むアミノ酸配列を有する、請求項１に記載の抗体。
【請求項３】
前記ＣＨ１ドメインがアミノ酸配列ＤＫＫＶ（配列番号４）を含み、前記キメラヒンジがアミノ酸配列ＥＰＫＳＣＤＫＴＨＴＣＰＰＣＰＡＰＰＶＡ（配列番号８）を含む、請求項１または請求項２に記載の抗体。
【請求項４】
前記ＣＨ１ドメインがアミノ酸配列ＤＫＲＶ（配列番号５）を含み、前記キメラヒンジがアミノ酸配列ＥＳＫＹＧＰＰＣＰＰＣＰＡＰＰＶＡ（配列番号９）を含む、請求項１または請求項２に記載の抗体。
【請求項５】
前記ＣＨ２ドメインが配列番号１０のアミノ酸配列を含む、請求項１〜４のいずれか一項に記載の抗体。
【請求項６】
前記ＣＨ３ドメインが、配列番号１１、配列番号１２、配列番号４１、および配列番号４２からなる群から選択されるアミノ酸配列を含む、請求項１〜５のいずれか一項に記載の抗体。
【請求項７】
前記抗体が、少なくとも１０ｎＭの抗体濃度で、２０％未満のＣＤＣ細胞傷害性および／またはＡＤＣＣ細胞傷害性、または１０％未満、あるいは５％、４％、３％、２％、または更に０％のもしくは検出不能なＣＤＣおよび／またはＡＤＣＣ細胞傷害性を呈する、請求項１〜６のいずれか一項に記載の抗体。
【請求項８】
前記ＣＤＣおよび／またはＡＤＣＣ細胞傷害性が、野生型ＩｇＧ１または野生型ＩｇＧ４  ＣＨ領域を含む対応する抗体の前記ＣＤＣおよび／またはＡＤＣＣ細胞傷害性よりも、少なくとも約５倍少ない、または少なくとも約１０倍少ない、請求項７に記載の抗体。
【請求項９】
単一特異性抗体である、請求項１〜８のいずれか一項に記載の抗体。
【請求項１０】
二重特異性抗体である、請求項１〜８のいずれか一項に記載の抗体。
【請求項１１】
抗体が、ＦｃγＲＩ、ＦｃγＲＩＩＩＡ、またはＦｃγＲＩＩＩＢと結合しない、請求項１〜１０のいずれか一項に記載の抗体。
【請求項１２】
抗体が、ＦｃγＲＩＩＡおよび場合によりＦｃγＲＩＩＢと結合できる、請求項１〜１１のいずれか一項に記載の抗体。
【請求項１３】
抗体が、ＦｃγＲＩＩＢへのその結合親和性と比較してより高い親和性で、ＦｃγＲＩＩＡに結合できる、請求項１〜１２のいずれか一項に記載の抗体。
【請求項１４】
請求項１〜１３のいずれか一項に記載の抗体をコードする、核酸分子。
【請求項１５】
請求項１４に記載の核酸分子を含む、ベクター。
【請求項１６】
前記核酸分子が、宿主細胞中の発現に好適な発現制御配列に作動的に連結される、請求項１５に記載のベクター。
【請求項１７】
請求項１４に記載の核酸分子、または請求項１５もしくは１６に記載のベクターを含む細胞であって、場合によりここで前記核酸分子が、前記細胞のゲノム中に統合される、細胞。
【請求項１８】
前記細胞が哺乳動物細胞であり、場合によりここで前記細胞がＣＨＯ細胞であり、場合によりここで前記細胞がＣＨＯ−Ｋ１細胞である、細胞。
【請求項１９】
Ｎ末端からＣ末端で、ＣＨ１ドメイン、キメラヒンジ、ＣＨ２ドメイン、およびＣＨ３ドメインを含む重鎖定常（ＣＨ）領域を含む、受容体−Ｆｃ融合タンパク質であって、
（ａ）前記ＣＨ１ドメインが、少なくとも２１２位〜２１５位（ＥＵ付番）のアミノ酸配列ＤＫＫＶまたはＤＫＲＶを有する、ヒトＩｇＧ１  ＣＨ１ドメインまたはヒトＩｇＧ４  ＣＨ１ドメインを含み、
（ｂ）前記キメラヒンジが、２１６位〜２２７位（ＥＵ付番）のヒトＩｇＧ１またはヒトＩｇＧ４上部ヒンジアミノ酸配列、および２２８位〜２３６位（ＥＵ付番）のヒトＩｇ
Ｇ２下部ヒンジアミノ酸配列ＰＣＰＡＰＰＶＡ（配列番号３）を含み、
（ｃ）前記ＣＨ２ドメインが、２３７位〜３４０位（ＥＵ付番）のヒトＩｇＧ４  ＣＨ２ドメインアミノ酸配列を含み、
（ｄ）前記ＣＨ３ドメインが、３４１位〜４４７位（ＥＵ付番）のヒトＩｇＧ１またはヒトＩｇＧ４  ＣＨ３ドメイン配列を含み、そして
ここで前記受容体−Ｆｃ融合タンパク質が、野生型ＩｇＧ１または野生型ＩｇＧ４重鎖定常領域を含む対応する抗体の結合親和性と比較してより低い親和性で、ＦｃγＲに結合することができる、
受容体−Ｆｃ融合タンパク質。
【請求項２０】
ＦｃγＲＩＩＡ、および場合によりＦｃγＲＩＩＢに結合し、ここで受容体−Ｆｃタンパク質はＦｃγＲＩＩＢへのその結合親和性と比較してより高い親和性で、ＦｃγＲＩＩＡに結合できる、請求項１９に記載の受容体−Ｆｃ融合タンパク質。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
無機硝酸塩及び無機亜硝酸塩からなる群から選択される少なくとも１つの治療有効量を含む、心不全を治療又は予防する必要とする対象における心不全を治療又は予防するための医薬組成物であって、該対象に投与される、組成物。
【請求項２】
該心不全が、駆出率が維持されている心不全（ＨＦｐＥＦ）である、請求項１に記載の医薬組成物。
【請求項３】
少なくとも１種の硝酸塩含有野菜の少なくとも一部を含む液体である、請求項１に記載の医薬組成物。
【請求項４】
該硝酸塩含有野菜がビートルートである、請求項３に記載の医薬組成物。
【請求項５】
該治療有効量が、約０．００１ｍｇ／ｋｇ〜約５ｍｇ／ｋｇである、請求項１に記載の医薬組成物。
【請求項６】
ＨＦｐＥＦを治療又は予防するのに有用な少なくとも１種の他の薬剤と組み合わせて投与される、請求項１に記載の医薬組成物。
【請求項７】
該少なくとも１種の他の薬剤が、利尿薬、アンギオテンシン酵素（ＡＣＥ）阻害薬、アンジオテンシンＩＩ受容体遮断薬（ＡＲＢ）、ベータ遮断薬、カルシウムチャネル遮断薬、スタチン、有機硝酸塩、及び有機亜硝酸塩からなる群から選択される、請求項６に記載の医薬組成物。
【請求項８】
該対象がヒトである、請求項１に記載の医薬組成物。
【請求項９】
無機硝酸塩又は無機亜硝酸塩からなる群から選択される少なくとも１つの治療有効量を含む、心不全を有する対象における運動耐容能を改善するための医薬組成物であって、該対象に投与される、組成物。
【請求項１０】
該心不全が、駆出率が維持されている心不全（ＨＦｐＥＦ）である、請求項９に記載の医薬組成物。
【請求項１１】
少なくとも１種の硝酸塩含有野菜の少なくとも一部を含む液体である、請求項９に記載の医薬組成物。
【請求項１２】
該硝酸塩含有野菜がビートルートである、請求項１１に記載の医薬組成物。
【請求項１３】
該対象がヒトである、請求項９に記載の医薬組成物。
【請求項１４】
無機硝酸塩又は無機亜硝酸塩からなる群から選択される少なくとも１つの治療有効量を含む、心不全を有する対象における大きな動脈スティフネスを低下させるための医薬組成物であって、該対象に投与される、組成物。
【請求項１５】
該心不全が、駆出率が維持されている心不全（ＨＦｐＥＦ）である、請求項１４に記載の医薬組成物。
【請求項１６】
該組成物が、少なくとも１種の硝酸塩含有野菜の少なくとも一部を含む液体である、請求項１４に記載の医薬組成物。
【請求項１７】
少なくとも１つの硝酸塩含有野菜の該少なくとも一部がビートルートである、請求項１６に記載の医薬組成物。
【請求項１８】
該対象がヒトである、請求項１４に記載の医薬組成物。
【請求項１９】
無機硝酸塩又は無機亜硝酸塩からなる群から選択される少なくとも１つの治療有効量を含む、心不全を有する対象における動脈波反射を低下させるための医薬組成物であって、該対象に投与される、組成物。
【請求項２０】
該心不全が、駆出率が維持されている心不全（ＨＦｐＥＦ）である、請求項１９に記載の医薬組成物。
【請求項２１】
少なくとも１種の硝酸塩含有野菜の少なくとも一部を含む液体である、請求項１９に記載の医薬組成物。
【請求項２２】
該硝酸塩含有野菜がビートルートである、請求項２１に記載の医薬組成物。
【請求項２３】
該対象がヒトである、請求項１９に記載の医薬組成物。
【請求項２４】
無機硝酸塩又は無機亜硝酸塩からなる群から選択される少なくとも１つの治療有効量を含む、心不全を有する対象における血漿中の硝酸塩濃度を上昇させるための医薬組成物であって、該対象に投与される、組成物。
【請求項２５】
該心不全が、駆出率が維持されている心不全（ＨＦｐＥＦ）である、請求項２４に記載の医薬組成物。
【請求項２６】
少なくとも１種の硝酸塩含有野菜の少なくとも一部を含む液体である、請求項２４に記載の医薬組成物。
【請求項２７】
該硝酸塩含有野菜がビートルートである、請求項２６に記載の医薬組成物。
【請求項２８】
該対象がヒトである、請求項２４に記載の医薬組成物。
【請求項２９】
無機硝酸塩又は無機亜硝酸塩からなる群から選択される少なくとも１つの治療有効量を含む、心不全を有する対象における血漿中の亜硝酸塩濃度を上昇させるための医薬組成物であって、該対象に投与される、組成物。
【請求項３０】
該心不全が、駆出率が維持されている心不全（ＨＦｐＥＦ）である、請求項２９に記載の医薬組成物。
【請求項３１】
少なくとも１種の硝酸塩含有野菜の少なくとも一部を含む液体である、請求項２９に記載の医薬組成物。
【請求項３２】
該硝酸塩含有野菜がビートルートである、請求項３１に記載の医薬組成物。
【請求項３３】
該対象がヒトである、請求項２９に記載の医薬組成物。
【請求項３４】
無機硝酸塩又は無機亜硝酸塩からなる群から選択される少なくとも１つの治療有効量を含む、心不全を有する対象における運動に対する血管拡張応答を改善するための医薬組成物であって、該対象に投与される、組成物。
【請求項３５】
該心不全が、駆出率が維持されている心不全（ＨＦｐＥＦ）である、請求項３４に記載の医薬組成物。
【請求項３６】
少なくとも１種の硝酸塩含有野菜の少なくとも一部を含む液体である、請求項３４に記載の医薬組成物。
【請求項３７】
該硝酸塩含有野菜がビートルートである、請求項３６に記載の医薬組成物。
【請求項３８】
該対象がヒトである、請求項３４に記載の医薬組成物。
【請求項３９】
無機硝酸塩又は無機亜硝酸塩からなる群から選択される少なくとも１つの治療有効量を含む、心不全を有する対象における運動中の筋肉血流を上昇させるための医薬組成物であって、該対象に投与される、組成物。
【請求項４０】
該心不全が、駆出率が維持されている心不全（ＨＦｐＥＦ）である、請求項３９に記載の医薬組成物。
【請求項４１】
少なくとも１種の硝酸塩含有野菜の少なくとも一部を含む液体である、請求項３９に記載の医薬組成物。
【請求項４２】
該硝酸塩含有野菜がビートルートである、請求項４１に記載の医薬組成物。
【請求項４３】
該対象がヒトである、請求項３９に記載の医薬組成物。
【請求項４４】
無機硝酸塩又は無機亜硝酸塩からなる群から選択される少なくとも１つの治療有効量を含む、心不全を有する対象における筋肉酸化能を上昇させるための医薬組成物であって、該対象に投与される、組成物。
【請求項４５】
該心不全が、駆出率が維持されている心不全（ＨＦｐＥＦ）である、請求項４４に記載の医薬組成物。
【請求項４６】
少なくとも１種の硝酸塩含有野菜の少なくとも一部を含む液体である、請求項４４に記載の医薬組成物。
【請求項４７】
該硝酸塩含有野菜がビートルートである、請求項４６に記載の医薬組成物。
【請求項４８】
該対象がヒトである、請求項４４に記載の医薬組成物。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
１，１，１，２，３−ペンタクロロプロパンを調製する方法であって、
五価アンチモン化合物を含む多価アンチモン化合物の存在下で、１，１，１，３−テトラクロロプロパンを塩素の供給源と反応させ、それにより１，１，１，２，３−ペンタクロロプロパンを含む生成物を形成することを含む、方法。
【請求項２】
前記塩素の供給源は塩素（Ｃｌ２）、塩化スルフリル、及びそれらの組み合わせから選択される、請求項１に記載の方法。
【請求項３】
前記多価アンチモン化合物は前記五価アンチモン化合物及び必要に応じて三価アンチモン化合物を含み、
前記五価アンチモン化合物は、以下の式（Ｉ）により表わされる１つ又は複数の五価アンチモン化合物を含み、
Ｓｂ（Ｒ１）ａ（Ｃｌ）ｂ  （Ｉ）
式中、ａ及びｂの合計は５であり、ただしｂは少なくとも２であり、
Ｒ１は、ａごとにそれぞれ独立して、直鎖、分岐又は環式アルキル、及びアリールからなる群から選択され、
前記三価アンチモン化合物は、以下の式（ＩＩ）により表わされる１つ又は複数の三価アンチモン化合物を含み、
Ｓｂ（Ｒ２）ｃ（Ｃｌ）ｄ  （ＩＩ）
式中、ｃ及びｄの合計は３であり、
Ｒ２は、ｃごとにそれぞれ独立して、直鎖、分岐、又は環式アルキル、及びアリールからなる群から選択される、請求項１に記載の方法。
【請求項４】
前記五価アンチモン化合物の前駆体から前記五価アンチモン化合物の少なくとも一部を形成することを更に含む、請求項３に記載の方法。
【請求項５】
前記五価アンチモン化合物の前記前駆体は、式（ＩＩ）により表わされる前記三価アンチモン化合物を含む、請求項４に記載の方法。
【請求項６】
前記五価アンチモン化合物の前記前駆体は、三塩化アンチモン、トリアルキルアンチモン、トリアリールアンチモン、及びそれらの２つ以上の組み合わせからなる群から選択される、請求項５に記載の方法。
【請求項７】
前記多価アンチモン化合物は固体支持体に支持されており、前記固体支持体は、シリカ支持体、アルミナ支持体、ゼオライト支持体、及びそれらの２つ以上の組み合わせからなる群から選択される、請求項１に記載の方法。
【請求項８】
前記多価アンチモン化合物の存在下における１，１，１，３−テトラクロロプロパンと前記塩素の供給源との反応は、少なくとも４０℃の温度及び少なくとも１ｐｓｉａ（≒６．８９４７６ｋＰａ）の圧力で実施される、請求項１に記載の方法。
【請求項９】
１，１，２，３，−テトラクロロプロペンを調製する方法であって、
第１の反応にて、五価アンチモン化合物を含む多価アンチモン化合物の存在下で１，１，１，３−テトラクロロプロパンを塩素の供給源と反応させ、それにより１，１，１，２，３−ペンタクロロプロパン及び前記五価アンチモン化合物を含む粗生成物を形成することと、
第２の反応にて、塩化第二鉄の存在下で前記粗生成物を加熱し、それにより１，１，２，３−テトラクロロプロペンを含む生成物を形成することとを含む、方法。
【請求項１０】
前記五価アンチモン化合物は、以下の式（Ｉ）により表わされる１つ又は複数の五価アンチモン化合物を含み、
Ｓｂ（Ｒ１）ａ（Ｃｌ）ｂ  （Ｉ）
式中、ａ及びｂの合計は５であり、ただしｂは少なくとも２であり、
Ｒ１は、ａごとにそれぞれ独立して、直鎖、分岐、又は環式アルキル、及びアリールからなる群から選択される、請求項９に記載の方法。
【請求項１１】
前記五価アンチモン化合物は五塩化アンチモンを含む、請求項１０に記載の方法。
【請求項１２】
１，１，２，３−テトラクロロプロペンを含む前記生成物は、１，１，１，２，３−ペンタクロロプロパン及び三塩化アンチモンを更に含み、
前記方法は、前記生成物を蒸留してそれにより、
１，１，２，３−テトラクロロプロペンを含む塔頂生成物、及び
１，１，１，２，３−ペンタクロロプロパン及び三塩化アンチモンを含む塔底生成物を形成することを更に含む、請求項１１に記載の方法。
【請求項１３】
前記塔底生成物の少なくとも一部を前記第１の反応に導入することを更に含む、請求項１２に記載の方法。
【請求項１４】
前記第２の反応は、前記生成物の少なくとも一部が１，１，２，３−テトラクロロプロペン蒸気を含む蒸気生成物に変換される温度及び圧力で実施され、
前記方法は、
１，１，２，３−テトラクロロプロペン蒸気を含む蒸気生成物を前記第２の反応から取り出すことと、
前記第２の反応から取り出された前記蒸気生成物を、液体１，１，２，３−テトラクロロプロペンを含む液体生成物へと凝縮させることとを更に含む、請求項９に記載の方法。
【請求項１５】
１，１，２，３，−テトラクロロプロペンを調製する方法であって、
第１の反応にて、五塩化アンチモンを含む五価アンチモン化合物の存在下で１，１，１，３−テトラクロロプロパンを塩素の供給源と反応させ、それにより、１，１，１，２，３−ペンタクロロプロパン、１，１，１，３−テトラクロロプロパン、五塩化アンチモン、及び三塩化アンチモンを含む粗生成物を形成することと、
前記粗生成物を蒸留してそれにより、
１，１，１，３−テトラクロロプロパン及び五塩化アンチモンを含む塔頂生成物、及び
１，１，１，２，３−ペンタクロロプロパン及び三塩化アンチモンを含む塔底生成物を形成することと、
塩素の供給源を前記塔底生成物に導入してそれにより前記三塩化アンチモンの少なくとも一部を五塩化アンチモンに変換し、それにより、修飾された塔底生成物を形成することと、
第２の反応にて、前記修飾された塔底生成物を塩化第二鉄の存在下で加熱し、それにより１，１，２，３−テトラクロロプロペンを含む生成物を形成することとを含む、方法。
【請求項１６】
前記方法はバッチ法、連続法、及びそれらの組み合わせとして実施される、請求項１，９又は１５に記載の方法。
【請求項１７】
前記１，１，１，３−テトラクロロプロパンは、塩化鉄、鉄金属、及びリン酸トリアルキルの存在下で四塩化炭素をエチレンと反応させることにより形成される、請求項１，９又は１５に記載の方法。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
ネイティブＨＢｃポリペプチドの少なくとも２つのアミノ酸がシステイン残基によって置換されており、ＨＢｃがウイルス様粒子（ＶＬＰ）へと集合化される場合に分子間ジスルフィド結合を形成することができるＨＢｃポリペプチド。
【請求項２】
前記ネイティブＨＢｃポリペプチドが、配列番号：１または配列番号：２で示されるアミノ酸配列を含み、
前記アミノ酸の置換が、［Ｄ２９Ｃ、Ｒ１２７Ｃ］、［Ｔ１０９Ｃ、Ｖ１２０Ｃ］、［Ｙ１３２Ｃ、Ｎ１３６Ｃ］、［Ｙ１３２Ｃ、Ａ１３７Ｃ］、［Ｒ１３３Ｃ、Ｎ１３６Ｃ］、［Ｒ１３３Ｃ、Ａ１３７Ｃ］、［Ｐ１３４Ｃ、Ｐ１３５Ｃ］、［Ｐ１３４Ｃ、Ｎ１３６Ｃ］、［Ｐ１３４Ｃ、Ａ１３７Ｃ］および［Ｐ１３５Ｃ、Ｎ１３６Ｃ］から選択され、または
前記アミノ酸の置換が、［Ｄ２９Ｃ、Ｒ１２７Ｃ］、［Ｐ１３４Ｃ、Ｎ１３６Ｃ］、または［Ｄ２９Ｃ、Ｒ１２７Ｃ、Ｐ１３４Ｃ、Ｎ１３６Ｃ］である請求項１記載のシステイン置換されたＨＢｃポリペプチド。
【請求項３】
配列番号：１の番号付けに対応して、７３〜８１位の残基におけるスパイク領域のアミノ酸が、負電荷を減少させるために置換されているＨＢｃポリペプチド。
【請求項４】
５７〜８１位の残基における疎水性ポケットのアミノ酸が置換されており、
前記置換アミノ酸が天然に存在するウイルス遺伝子型由来であり、
アミノ酸置換が、［Ｉ５７Ｖ、Ｌ６０Ｓ、Ｇ６３Ｒ、Ｄ６４Ｅ、Ｌ６５Ｖ、Ｍ６６Ｔ、Ｔ６７Ｄ、Ｌ６８Ｆ、Ａ６９Ｇ、Ｔ７０Ｄ、Ｔ７４Ｎ、Ｌ７６Ｍ、Ｅ７７Ｑ、Ｐ７９Ｑ、Ｓ８１Ａ、Ｓ８７Ｎ、Ｔ９１Ａ、Ｖ９３Ｉ、Ｆ９７Ｉ］または［Ｔ７４Ｎ、Ｌ７６Ｍ、Ｅ７７Ｑ、Ｐ７９Ｑ、Ｓ８１Ａ］のうちの１つである請求項３記載のポリペプチド。
【請求項５】
［Ｄ２９Ｃ、Ｒ１２７Ｃ］、［Ｔ１０９Ｃ、Ｖ１２０Ｃ］、［Ｙ１３２Ｃ、Ｎ１３６Ｃ］、［Ｙ１３２Ｃ、Ａ１３７Ｃ］、［Ｒ１３３Ｃ、Ｎ１３６Ｃ］、［Ｒ１３３Ｃ、Ａ１３７Ｃ］、［Ｐ１３４Ｃ、Ｐ１３５Ｃ］、［Ｐ１３４Ｃ、Ｎ１３６Ｃ］、［Ｐ１３４Ｃ、Ａ１３７Ｃ］および［Ｐ１３５Ｃ、Ｎ１３６Ｃ］から選択される少なくとも１つのアミノ酸置換の対をさらに含み、または
［Ｄ２９Ｃ、Ｒ１２７Ｃ］、［Ｐ１３４Ｃ、Ｎ１３６Ｃ］および［Ｄ２９Ｃ、Ｒ１２７Ｃ、Ｐ１３４Ｃ、Ｎ１３６Ｃ］から選択されるアミノ酸置換をさらに含む請求項３または４項に記載のＨＢｃポリペプチド。
【請求項６】
Ｍ６６Ｓのアミノ酸置換をさらに含む請求項１〜５のいずれか１項に記載のＨＢｃポリペプチド。
【請求項７】
前記ポリペプチドが単量体または二量体である請求項１〜６のいずれか１項に記載のＨＢｃポリペプチド。
【請求項８】
前記ポリペプチドが、ＶＬＰへと集合化される請求項１〜６のいずれか１項に記載のＨＢｃポリペプチド。
【請求項９】
前記ポリペプチドが、少なくとも１個の非天然型アミノ酸をさらに含み、
前記非天然型アミノ酸が、クリックケミストリー反応のための反応基を提供し、および／または
前記非天然型アミノ酸が、アジドホモアラニン、ｐ−アセチル−Ｌ−フェニルアラニンまたはｐ−アジド−Ｌ−フェニルアラニンであり、および／または
非天然型アミノ酸に共役された一またはそれ以上の追加の部位をさらに含む請求項１〜６のいずれか１項に記載のＨＢｃポリペプチド。
【請求項１０】
配列番号：３〜３１、３４〜５２のいずれか１つのアミノ酸配列を含むＨＢｃポリペプチド。
【請求項１１】
配列番号：３９、配列番号：４２または配列番号：５２のアミノ酸配列を含む請求項１０記載のＨＢｃポリペプチド。
【請求項１２】
請求項１〜１１のいずれか１項に記載のポリプチドをコードするポリヌクレオチド。
【請求項１３】
請求項１２記載のポリヌクレオチドを含むベクター。
【請求項１４】
請求項１３記載のベクターまたは請求項１２記載のポリヌクレオチドを含む細胞または無細胞タンパク質合成反応混合物。
【請求項１５】
プロモーターに作動可能に連結された融合タンパク質をコードするポリヌクレオチド配列を、細胞または無細胞タンパク質合成反応混合物に導入する工程、および
前記タンパク質を合成するために充分な期間、インキュベートする工程を含み、
前記ポリペプチドが、還元条件下でＶＬＰへと集合化され、
ＶＬＰへ追加のポリペプチドを共役させるさらなる反応の前に、前記ＶＬＰがジスルフィド結合を生成させるために酸化される、請求項１〜１１のいずれか１項に記載のポリペプチドを製造する方法。